【事件の表示】
　特願２０１６−５４８１３７「測位基準信号を処理するための方法、装置、およびデバイス」拒絶査定不服審判事件〔平成２７年　７月３０日国際公開、ＷＯ２０１５／１１２４３０、平成２９年　４月１３日国内公表、特表２０１７−５１０７９４、請求項の数（３０）〕について、次のとおり審決する。
【結　論】
　原査定を取り消す。
　本願の発明は、特許すべきものとする。
【理　由】
第１　手続の経緯
特許出願：　平成２７年１月１５日
（パリ条約による優先権主張（外国庁受理２０１４年１月２４日、米国）を伴う国際出願）
拒絶理由通知：　平成２８年１２月７日（発送日：同年同月１３日）
手続補正：　平成２９年３月１３日 
拒絶査定：　平成２９年５月１日（送達日：同年同月９日）
拒絶査定不服審判の請求：　平成２９年９月６日 
第２　原査定の概要
　原査定（平成２９年５月１日付け拒絶査定）の概要は次のとおりである。
１．本願請求項１−２，８−１１，１７−２０，２４−２７，３０に係る発明は、以下の引用文献１の記載に基づいて、また本願請求項３−５，１２−１４，２１−２３，２８に係る発明は、以下の引用文献１−２の記載に基づいて、その発明の属する技術の分野における通常の知識を有する者（以下、「当業者」という。）が容易に発明できたものであるから、特許法第２９条第２項の規定により特許を受けることができない。
引用文献等一覧
１．特表２０１４−５０２０６７号公報
２．米国特許出願公開第２０１３／０２８５８５６号明細書
第３　本願発明
　本願請求項１−３０に係る発明（以下、それぞれ「本願発明１」−「本願発明３０」という。）は、平成２９年３月１３日付けの手続補正で補正された特許請求の範囲の請求項１−３０に記載された事項により特定される発明であり、以下のとおりの発明である。
「【請求項１】
　モバイルデバイスにおいて、
　第１のタイプのオケージョン中に基地局から送信された第１の測位基準信号（ＰＲＳ）バーストを収集することと、
　第２のタイプのオケージョン中に前記基地局から送信された第２のＰＲＳバーストを収集することと、
　１つまたは複数の性能基準に少なくとも部分的に基づいて、測位動作において使用するために前記収集された第１のＰＲＳバーストと前記収集された第２のＰＲＳバーストとの間で選択することとを備える方法。
　　【請求項２】
　前記１つまたは複数の性能基準が、少なくとも信号対雑音比を備える、請求項１に記載の方法。
　　【請求項３】
　前記１つまたは複数の性能基準が、少なくとも最良の確定された自己相関のピークを備える、請求項１に記載の方法。
　　【請求項４】
　前記最良の確定された自己相関のピークが時間領域においてまたは周波数領域において測定される、請求項３に記載の方法。
　　【請求項５】
　前記１つまたは複数の性能基準が、少なくとも、前記最良の確定された自己相関のピークの幅と公称相関ピーク幅との比較を備える、請求項３に記載の方法。
　　【請求項６】
　前記選択することが、
　前記収集された第２のＰＲＳバースト中で検出された１つまたは複数のシンボルを、前記収集された第１のＰＲＳバースト中で検出された１つまたは複数のシンボルと比較することをさらに備える、請求項１に記載の方法。
　　【請求項７】
　前記比較することは、
　前記収集された第２のＰＲＳバースト中で検出された前記１つまたは複数のシンボルが、前記収集された第１のＰＲＳバースト中で検出された前記１つまたは複数のシンボルとは異なる極性のものであるかどうかを決定することを備える、請求項６に記載の方法。
　　【請求項８】
　前記１つまたは複数の性能基準のうちの第１の性能基準を備える前記収集された第１のＰＲＳバーストに少なくとも部分的に基づいて、前記収集された第１のＰＲＳバーストを、前記第１のタイプのオケージョン中に送信されたものとして指定することと、
　前記第１の性能基準とは異なる前記１つまたは複数の性能基準のうちの第２を備える前記収集された第２のＰＲＳバーストに少なくとも部分的に基づいて、前記収集された第２のＰＲＳバーストを、前記第２のタイプのオケージョン中に送信されたものとして指定することと、をさらに備える、請求項１に記載の方法。
　　【請求項９】
　メモリデバイスに、基地局が異なるタイプのオケージョン中に異なるＰＲＳバーストを送信するかどうかを識別するための１つまたは複数のインジケータを記憶することをさらに備える、請求項１に記載の方法。
　　【請求項１０】
　通信チャネルから信号を受信するための受信機と、
　　第１のタイプのオケージョン中に前記受信機において受信された、基地局から送信された第１の測位基準信号（ＰＲＳ）バーストを収集することと、
　　第２のタイプのオケージョン中に前記基地局から送信された第２のＰＲＳバーストを収集することと、
　　１つまたは複数の性能基準に少なくとも部分的に基づいて、測位動作において使用するために前記収集された第１のＰＲＳバーストと前記収集された第２のＰＲＳバーストとの間で選択することと
　を行うための、前記受信機に結合された１つまたは複数のプロセッサとを備える、モバイルデバイス。
　　【請求項１１】
　前記１つまたは複数のプロセッサが、
　前記収集された第１および前記収集された第２のＰＲＳバーストの信号対雑音を備える前記１つまたは複数の性能に少なくとも部分的に基づいて、前記収集された第１のＰＲＳバーストと前記収集された第２のＰＲＳバーストとの間で選択することをさらに行うためのものである、請求項１０に記載のモバイルデバイス。
　　【請求項１２】
　前記１つまたは複数のプロセッサが、
　前記収集された第１および前記収集された第２のＰＲＳバーストの最良の確定された自己相関のピークを備える前記１つまたは複数の性能基準に少なくとも部分的に基づいて、前記収集された第１のＰＲＳバーストと前記収集された第２のＰＲＳバーストとの間で選択することをさらに行うためのものである、請求項１０に記載のモバイルデバイス。
　　【請求項１３】
　前記１つまたは複数のプロセッサが、
　時間領域においてまたは周波数領域において、前記最良の確定された自己相関のピークを計算することをさらに行うためのものである、請求項１２に記載のモバイルデバイス。
　　【請求項１４】
　前記１つまたは複数のプロセッサが、
　計算された自己相関のピーク幅と公称相関ピーク幅との比較に少なくとも部分的に基づいて、前記収集された第１のＰＲＳバーストと前記収集された第２のＰＲＳバーストとの間で選択することをさらに行うためのものである、請求項１０に記載のモバイルデバイス。
　　【請求項１５】
　前記１つまたは複数のプロセッサが、
　前記収集された第２のＰＲＳバースト中で検出された１つまたは複数のシンボルを、前記収集された第１のＰＲＳバースト中で検出された１つまたは複数のシンボルと比較することをさらに行うためのものである、請求項１０に記載のモバイルデバイス。
　　【請求項１６】
　前記１つまたは複数のプロセッサは、
　前記収集された第２のＰＲＳバースト中で検出された前記１つまたは複数のシンボルが、前記収集された第１のＰＲＳバースト中で検出された前記１つまたは複数のシンボルとは異なる極性のものであるかどうかを決定することをさらに行うためのものである、請求項１５に記載のモバイルデバイス。
　　【請求項１７】
　前記１つまたは複数のプロセッサが、
　前記１つまたは複数の性能基準のうちの第１の性能基準を備える前記収集された第１のＰＲＳバーストに少なくとも部分的に基づいて、前記収集された第１のＰＲＳバーストを、第１のタイプのオケージョン中に送信されたものとして指定することと、
　前記第１の性能基準とは異なる前記１つまたは複数の性能基準のうちの第２を備える前記収集された第２のＰＲＳバーストに少なくとも部分的に基づいて、前記収集された第２のＰＲＳバーストを、第２のタイプのオケージョン中に送信されたものとして指定することとをさらに行うためのものである、請求項１０に記載のモバイルデバイス。
　　【請求項１８】
　前記１つまたは複数のプロセッサは、
　メモリデバイスに、基地局が異なるタイプのオケージョン中に異なるＰＲＳバーストを送信するかどうかを識別するための１つまたは複数のインジケータを記憶することをさらに行うためのものである、請求項１０に記載のモバイルデバイス。
　　【請求項１９】
　第１のタイプのオケージョン中に基地局から送信された第１の測位基準信号（ＰＲＳ）バーストを収集することと、
　第２のタイプのオケージョン中に前記基地局から送信された第２のＰＲＳバーストを収集することと、
　１つまたは複数の性能基準に少なくとも部分的に基づいて、測位動作において使用するために前記収集された第１のＰＲＳバーストと前記収集された第２のＰＲＳバーストとの間で選択することと
　を行うためにモバイルデバイスの１つまたは複数のプロセッサによって実行可能である、その上に記憶された機械可読命令を備える非一時的記憶媒体を備える物品。
　　【請求項２０】
　前記モバイルデバイスの１つまたは複数のプロセッサによって実行可能である、その上に記憶された機械可読命令を備える前記非一時的記憶媒体が、
　前記収集された第１および前記収集された第２のＰＲＳバーストの信号対雑音を備える前記１つまたは複数の性能基準に少なくとも部分的に基づいて、前記収集された第１のＰＲＳバーストと前記収集された第２のＰＲＳバーストとの間で選択することをさらに行うためのものである、請求項１９に記載の物品。
　　【請求項２１】
　前記モバイルデバイスの１つまたは複数のプロセッサによって実行可能である、その上に記憶された機械可読命令を備える前記非一時的記憶媒体が、
　前記収集された第１および前記収集された第２のＰＲＳバーストの最良の確定された自己相関のピークを備える前記１つまたは複数の性能基準に少なくとも部分的に基づいて前記収集された第１のＰＲＳバーストと前記収集された第２のＰＲＳバーストとの間で選択することをさらに行うためのものである、請求項１９に記載の物品。
　　【請求項２２】
　前記モバイルデバイスの１つまたは複数のプロセッサによって実行可能である、その上に記憶された機械可読命令を備える前記非一時的記憶媒体が、
　時間領域においてまたは周波数領域において、前記最良の確定された自己相関のピークを計算することをさらに行うためのものである、請求項２１に記載の物品。
　　【請求項２３】
　前記モバイルデバイスの１つまたは複数のプロセッサによって実行可能である、その上に記憶された機械可読命令を備える前記非一時的記憶媒体が、
　計算された自己相関のピーク幅と公称相関ピーク幅との比較に少なくとも部分的に基づいて、前記収集された第１のＰＲＳバーストと前記収集された第２のＰＲＳバーストとの間で選択することをさらに行うためのものである、請求項１９に記載の物品。
　　【請求項２４】
　前記モバイルデバイスの１つまたは複数のプロセッサによって実行可能である、その上に記憶された機械可読命令を備える前記非一時的記憶媒体が、
　前記１つまたは複数の性能基準のうちの第１の性能基準を備える前記収集された第１のＰＲＳバーストに少なくとも部分的に基づいて、前記収集された第１のＰＲＳバーストを、第１のタイプのオケージョン中に送信されたものとして指定することと、
　前記第１の性能基準とは異なる前記１つまたは複数の性能基準のうちの第２を備える前記収集された第２のＰＲＳバーストに少なくとも部分的に基づいて、前記収集された第２のＰＲＳバーストを、第２のタイプのオケージョン中に送信されたものとして指定することとをさらに行うためのものである、請求項１９に記載の物品。
　　【請求項２５】
　前記モバイルデバイスの１つまたは複数のプロセッサによって実行可能である、その上に記憶された機械可読命令を備える前記非一時的記憶媒体が、
　メモリデバイスに、基地局が異なるタイプのオケージョン中に異なるＰＲＳバーストを送信するかどうかを識別するための１つまたは複数のインジケータを記憶することをさらに行うためのものである、請求項１９に記載の物品。
　　【請求項２６】
　第１のタイプのオケージョン中に基地局から送信された第１の測位基準信号（ＰＲＳ）バーストを収集するための手段と、
　第２のタイプのオケージョン中に前記基地局から送信された第２のＰＲＳバーストを収集するための手段と、
　１つまたは複数の性能基準に少なくとも部分的に基づいて、測位動作において使用するために前記収集された第１のＰＲＳバーストと前記収集された第２のＰＲＳバーストとの間で選択するための手段とを備える、モバイルデバイス。
　　【請求項２７】
　前記収集された第１のＰＲＳバーストおよび前記収集された第２のＰＲＳバーストの信号対雑音比を計算するための手段をさらに備える、請求項２６に記載のモバイルデバイス。
　　【請求項２８】
　前記収集された第１のＰＲＳバーストおよび前記収集された第２のＰＲＳバーストの最良の確定された自己相関のピークを計算するための手段をさらに備える、請求項２６に記載のモバイルデバイス。
　　【請求項２９】
　前記収集された第２のＰＲＳバースト中で検出された１つまたは複数のシンボルが、前記収集された第１のＰＲＳバースト中で検出された１つまたは複数のシンボルとは異なる極性のものであるかどうかを決定するための手段をさらに備える、請求項２６に記載のモバイルデバイス。
　　【請求項３０】
　前記１つまたは複数の性能基準のうちの第１の性能基準を備える前記収集された第１のＰＲＳバーストに少なくとも部分的に基づいて、前記収集された第１のＰＲＳバーストを、第１のタイプのオケージョン中に送信されたものとして指定するための手段と、
　前記第１の性能基準とは異なる前記１つまたは複数の性能基準のうちの第２を備える前記収集された第２のＰＲＳバーストに少なくとも部分的に基づいて、前記収集された第２ＰＲＳバーストを、第２のタイプのオケージョン中に送信されたものとして指定するための手段とをさらに備える、請求項２６に記載のモバイルデバイス。」
第４　引用文献、引用発明等
１．引用文献１について
　原査定の拒絶の理由に引用された引用文献１には、図面とともに次の事項が記載されている。（下線は当審による。以下同様。）
「【請求項１】
  マルチキャリア無線通信ネットワーク（１０）におけるユーザ機器（ＵＥ）（１２）のサービングノード（３２）による当該ＵＥ（１２）についての測位適応型のキャリアスイッチングの方法（１００）であって、
  前記ＵＥ（１２）についてのプライマリキャリアとして第１のキャリアを割り当てること（１０２）と、
  前記ＵＥ（１２）についての前記プライマリキャリアとなるべき第２のキャリアを選択すること（１０４）と、
  前記ＵＥ（１２）についての前記プライマリキャリアを前記第１のキャリアから前記第２のキャリアにスイッチングすること（１０６）と、
  を含み、
  前記選択するステップ（１０４）及び前記スイッチングするステップ（１０６）のうちの少なくとも１つは、１つ以上の測位用測定が実行されることを可能にするように制約される、
  方法。」
「【請求項２０】
  
前記第１及び第２のキャリア上で測位リファレンス信号（ＰＲＳ）を送信する
  前記ＰＲＳの送信は時間的にずらして配置されることと、
  あるキャリア上でのＰＲＳ送信に先立って前記ＵＥ（１２）についての前記プライマリキャリアを当該キャリアにスイッチングすることと、
  をさらに含む、請求項１に記載の方法（１００）。」
「【請求項２４】
  
マルチキャリア無線通信ネットワーク（１０）において動作可能なユーザ機器（ＵＥ）（１２）による測位適応型のキャリアスイッチングの方法（２００）であって、
  
プライマリキャリアとしての第１のキャリア上で通信信号を受信すること（２０２）と、
  １つ以上の測位用測定を実行すること（２０４）と、
  
前記プライマリキャリアは前記第１のキャリアから第２のキャリアにスイッチングされるべきであるという標識をサービングノード（３２）から受信すること（２０６）と、
  
進行中の前記測位用測定を維持しながら、前記プライマリキャリアとしての前記第２のキャリアにスイッチングすること（２０８）と、
  を含む、方法。
「【００１６】
  
ＰＲＳは、幾つかの連続するサブフレーム（ＮＰＲＳ）によってグループ化される予め定義される測位サブフレームにおいて送信され、１つの測位機会として知られる。
測位機会は、Ｎ個のサブフレームのある周期性によって、即ち、２つの測位機会の間の時間間隔で、周期的に発生する。
「【００３８】
  図６は、マルチＲＡＴのマルチキャリア無線通信ネットワーク１０の機能ブロック図を表す。ＵＥ１２は、第１のＲＡＴ３０に従って２つ以上のキャリア周波数上に変調される通信及び制御信号を、ＬＴＥにおけるｅＮｏｄｅＢなどの当該第１のＲＡＴ３０におけるサービングノード３２から受信し及びサービングノード３２に送信する。サービングノード３２は、マルチキャリア送受信器３４と、ＵＥ１２についてプライマリキャリア及び１つ以上のセカンダリキャリアを選択するように動作し、並びに最適なマルチキャリアネットワーク動作のために当該プライマリキャリアを必要又は要望に応じてスイッチングするようにさらに動作するコントローラ３８と、を備える。本発明の実施形態によれば、コントローラ３８は、本明細書においてさらに説明されるように、そのプライマリキャリアの選択及びスイッチングの決定において測位適応型の手法で制約され、それにより、例えば進行中の測位用測定が完了される。サービングノード３２は、ネットワークインタフェース３６を介して、ＬＴＥにおけＥ−ＳＭＬＣ又はＳＬＰといったロケーションサービスノード４０に接続される。ロケーションサービスノード４０は、ＧＰＳ信号の受信又はＰＲＳのＯＴＤＯＡ測定といったＵＥ１２によって実行される測位用測定に基づいて、当該ＵＥ１２についての測位手続きを実行し得る。」
「【００４５】
  本発明の実施形態によれば、マルチキャリア無線通信ネットワーク１０におけるキャリアスイッチングの決定は、一貫性のある、ロバストな測位用測定性能を確かなものにするために制約される。これらの制約は、ＵＥ１２にプライマリキャリア又はセカンダリキャリアとして割り当てられるべき選択キャリア周波数に影響を及ぼし、及び／又は、キャリアスイッチングのタイミングにも影響を及ぼし得る。これらの制約は、サービングネットワークノード３２、５２（例えば、ｅＮｏｄｅＢ）、及び／又はＵＥ１２上で動作し得る。例えば、プライマリキャリアのスイッチングが測位用測定セッションの開始に先立って又は進行中の測位用測定セッションが完了した後に発生すること、即ち測位セッション又は測定期間中にプライマリキャリアのスイッチングが発生しないことを確かなものにするために、制約は課され得る。別の例として、コンポーネントキャリアからのプライマリキャリアの選択は、ＵＥ１２が測位用測定を実行することを可能にするためにＰＲＳを送信するキャリアを選択するように、即ち、
測位用測定のために用いられることができるＰＲＳの最も好ましい設定を有するプライマリキャリア
、又は取り得る最も良好な伝搬特性を有するキャリアを選択するように制約され得る。
　上記記載より、引用文献１には次の発明（以下、「引用発明」という。）が記載されていると認められる。
「マルチキャリア無線通信ネットワーク（１０）において動作可能なユーザ機器（ＵＥ）（１２）による測位適応型のキャリアスイッチングの方法（２００）であって、
  プライマリキャリアとしての第１のキャリア上で通信信号を受信すること（２０２）と、
  前記プライマリキャリアは前記第１のキャリアから第２のキャリアにスイッチングされるべきであるという標識をサービングノード（３２）から受信すること（２０６）と、
  進行中の前記測位用測定を維持しながら、前記プライマリキャリアとしての前記第２のキャリアにスイッチングすること（２０８）と、
  を含む方法であって（【請求項２４】参照。）、
  前記第１及び第２のキャリア上で測位リファレンス信号（ＰＲＳ）が送信され（【請求項２０】参照。）、
　ＰＲＳは、幾つかの連続するサブフレームによってグループ化される予め定義される測位サブフレームにおいて送信され、１つの測位機会として知られるものであり、測位機会は、Ｎ個のサブフレームのある周期性によって、即ち、２つの測位機会の間の時間間隔で、周期的に発生する（【００１６】参照。）方法であって、
　測位用測定のために用いられることができるＰＲＳの最も好ましい設定を有するプライマリキャリア、又は取り得る最も良好な伝搬特性を有するキャリアを選択するように制約され得る、
　方法。」
第５　対比・判断
１．本願発明１について
（１）対比
　本願発明１と引用発明とを対比する。 
　まず、引用発明の「マルチキャリア無線通信ネットワーク（１０）において動作可能なユーザ機器（ＵＥ）」は、本願発明１の「モバイルデバイス」に相当する。
　また、引用発明においては、「第１及び第２のキャリア上で測位リファレンス信号（ＰＲＳ）が送信され」ており、さらに「ＰＲＳは、幾つかの連続するサブフレームによってグループ化される予め定義される測位サブフレームにおいて送信され、１つの測位機会として知られるものであり、測位機会は、Ｎ個のサブフレームのある周期性によって、即ち、２つの測位機会の間の時間間隔で、周期的に発生する」とされているから、引用発明において「プライマリキャリアとしての第１のキャリア上で通信信号を受信すること」は、本願発明１において「第１のタイプのオケージョン中に基地局から送信された第１の測位基準信号（ＰＲＳ）バーストを収集すること」に相当するといえる。
　さらに、引用発明において「プライマリキャリアとしての前記第２のキャリアにスイッチング」された後に、第２のキャリア上で通信信号を受信することも明らかであって、これは本願発明１において「第２のタイプのオケージョン中に前記基地局から送信された第２のＰＲＳバーストを収集すること」に相当するといえる。
　次に、引用発明において「測位用測定のために用いられることができるＰＲＳの最も好ましい設定を有するプライマリキャリア、又は取り得る最も良好な伝搬特性を有するキャリアを選択」されることは、本願発明１において「１つまたは複数の性能基準に少なくとも部分的に基づいて、測位動作において使用するために前記収集された第１のＰＲＳバーストと前記収集された第２のＰＲＳバーストとの間で選択」されることに相当する。
　してみると、両者の一致点及び相違点は、以下のとおりである。
（一致点）
「モバイルデバイスにおいて、
　第１のタイプのオケージョン中に基地局から送信された第１の測位基準信号（ＰＲＳ）バーストを収集することと、
　第２のタイプのオケージョン中に前記基地局から送信された第２のＰＲＳバーストを収集することと、
　を備える方法であって、
　１つまたは複数の性能基準に少なくとも部分的に基づいて、測位動作において使用するために前記収集された第１のＰＲＳバーストと前記収集された第２のＰＲＳバーストとの間で選択される、
　方法。」
　
　　（相違点）
　本願発明１においては、「モバイルデバイスにおいて、」「１つまたは複数の性能基準に少なくとも部分的に基づいて、測位動作において使用するために前記収集された第１のＰＲＳバーストと前記収集された第２のＰＲＳバーストとの間で選択する」ことを備えるとされているが、引用発明においては「測位用測定のために用いられることができるＰＲＳの最も好ましい設定を有するプライマリキャリア、又は取り得る最も良好な伝搬特性を有するキャリアを選択」されるものの、キャリアのスイッチングについては、「前記プライマリキャリアは前記第１のキャリアから第２のキャリアにスイッチングされるべきであるという標識をサービングノード（３２）から受信」して、スイッチングするとされており、「モバイルデバイスにおいて、」選択は行われていない点。
（２）相違点についての判断
　上記相違点について検討すると、引用発明において、キャリアスイッチングの選択をユーザ機器（ＵＥ）において行うようにすることの動機を見いだすことはできない。
　したがって、本願発明１は、当業者であっても、引用文献１に基づいて容易に発明できたものとはいえない。
　なお、念のため上記引用文献２（原査定において請求項１に係る発明（本願発明１に対応）に対して引用されたものではない）の記載内容を検討しても、上記相違点に係る本願発明１の構成は記載も示唆もされていない。
２．本願発明１０，１９，２６について
　本願発明１０，１９，２６は、本願発明１に対応するモバイルデバイスもしくは物品の発明であり、本願発明１の「モバイルデバイスにおいて、」「１つまたは複数の性能基準に少なくとも部分的に基づいて、測位動作において使用するために前記収集された第１のＰＲＳバーストと前記収集された第２のＰＲＳバーストとの間で選択する」という構成に対応する構成を備えるものであるから、本願発明１と同様の理由により、当業者であっても、引用文献１に基づいて容易に発明できたものとはいえない。
３．本願発明２−９，１１−１８，２０−２５，２７−３０について
　本願発明２−９，１１−１８，２０−２５，２７−３０は、本願発明１，１０，１９，２６のいずれかを引用する発明であって、本願発明１の「モバイルデバイスにおいて、」「１つまたは複数の性能基準に少なくとも部分的に基づいて、測位動作において使用するために前記収集された第１のＰＲＳバーストと前記収集された第２のＰＲＳバーストとの間で選択する」という構成、もしくはそれに対応する構成を備えるものであるから、本願発明１と同様の理由により、当業者であっても、引用文献１、または引用文献１ないし２に基づいて容易に発明できたものとはいえない。
第６　原査定について
　本願発明１−３０は「モバイルデバイスにおいて、」「１つまたは複数の性能基準に少なくとも部分的に基づいて、測位動作において使用するために前記収集された第１のＰＲＳバーストと前記収集された第２のＰＲＳバーストとの間で選択する」という構成、もしくはそれに対応する構成を備えものであり、当業者であっても、拒絶査定において引用された引用文献１、または引用文献１ないし２に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。